(57)【要約】  【課題】      内部にメジャーを巻き入れた巻尺にあって、所定の測定位置にマーキングできるようにすることを目的とするものである。  【解決手段】  巻尺のケース体の前面部に、先端部に筆記具あるいは罫書き具等からなるマーク付け具を有するバーを、一方側から他方側に向ってスライドさせ得るようにして組み込むとともに、バーのスライド操作により、マーク付け具が、ケース体の下面部より突出移動するように構成し、あるいは、先端部に筆記具あるいは罫書き具等からなるマーク付け具を有するバーを、ケース体の前面部に揺動自在の状態にして組み込み、バーの操作により、バーの先端部に配置させたマーク付け部が、ケース体の下面部より突出移動するように構成したことを特徴とする巻尺。【選択図】    図１
2006038610.tif 000002
【特許請求の範囲】
【請求項１】
ケース体２内にスケール５を巻入れた構成の巻尺において、ケース体２の前面部に、先端部に筆記具あるいは罫書き具等からなるマーク付け具４を有するバー６を一方側から他方側に向って斜め状に下った状態となるようにして保持するガイド部３を形成し、バー６をガイド部３によって支持させるとともに、それに沿ってスライド操作させることにより、マーク付け具４が、ケース体２の下面部７より突出移動するように形成したことを特徴とする巻尺。
【請求項２】
ケース体２内にスケール５を巻入れた構成の巻尺において、先端部に筆記具あるいは罫書き具等からなるマーク付け具４を有するバー６を、ケース体２の前面部に揺動自在の状態にして組み込み、バー６の揺動操作により、バー６の先端部に配置させたマーク付け部４が、ケース体２の下面部７より突出移動するように形成したことを特徴とする巻尺。
【請求項３】
ケース体２内にスケール５を巻入れた構成の巻尺において、ケース体２の前面部に、先端部に筆記具あるいは罫書き具等からなるマーク付け具４を有するバー６を横方向に移動可能な状態として保持させるとともに、他方側に移動させた場合にあって、マーク付け具４を、ケース体２の下面部７より突出移動させるためガイド部２１を形成したことを特徴とする巻尺。
【請求項４】
ケース体２内にスケール５を巻入れた構成の巻尺において、ケース体２の前面部に、先端部に筆記具あるいは罫書き具等からなるマーク付け具４を有するバー６を下方方向に移動可能な状態として保持させるとともに、下方側に移動させた場合にあって、マーク付け具４を、ケース体２の下面部７より突出移動させるためガイド部２１を形成したことを特徴とする巻尺。
【発明の詳細な説明】
【技術分野】
【０００１】
この発明は、マーキング機能を有する巻尺の改良に関するものである。
【背景技術】
【０００２】
大工工事や鉄骨工事を行なうような場合、柱や鋼材の所定の寸法位置に印を付けるという墨付け作業を頻繁に行なう必要があるのであるが、このような墨付け作業を行なう場合、柱や鋼材等に巻尺を配置させて目盛を読み取った後、所定の目盛り位置に鉛筆、ボールペン、罫書き針等で線引きするという方法によって行なわれるのが普通である。
【０００３】
しかし、このようにスケールの目盛りに沿って鉛筆等で線引きするという方法で墨付け作業を行なう場合、手元離さず鉛筆等の筆記具を携えておかなければなず、高所で作業中に筆記具を見失ったような場合、作業を中止して筆記具を探し、見当たらない場合には、取に降りなければならないのである。
【０００４】
また、測定しようとする材料の配置方向によっては、利き手に巻尺を持ち、利き手でない方の手に筆記具等を持って線引きしなければならず、正確な墨付けを行ない得ないことになるし、また、墨付けの際、絶えず両手がふさがった状態になるため、高所で手を伸ばして墨付け作業をするような場合、身体のバランスを乱し、落下の危険性をともなうことになるのである。
【０００５】
このような不便さを解消するため、例えば、特開２００１−３２４３０１、特開平９−１２６７０２、特開平８−２３３５０２号公報に記載されたような構成の巻尺が存在しているのであるが、特開２００１−３２４３０１号公報に記載されたものは、ケースの側部に大きな筆記具を突出させた構成となっており、工具袋やポケットに入れた場合に嵩張ることになるし、また、特開平９−１２６７０２号公報や、特開平８−２３３５０２号公報に記載のものにあっては、ケースの下方部から常時、筆記具等が突出した状態となっており、作業時にその部分が木材等に不用意に触れる可能性があり、鉋で仕上げられた木材を汚したり、傷付けたりするという欠点があるのである。
【発明の開示】
【発明が解決しようとする課題】
【０００６】
この発明は、従来のような鉛筆等を使用して墨付けを行なう場合の作業効率の悪さを解消するとともに、高所での作業時における危険性を除去し、また、従来のマーキング機能を有する巻尺における上記のような欠点を除去しようとするものである。
【課題を解決するための手段】
【０００７】
巻尺のケース体の前面部に、先端部に筆記具あるいは罫書き具等からなるマーク付け具を有するバーを、一方側から他方側に向ってスライドさせ得るようにして組み込むとともに、バーのスライド操作により、マーク付け具が、ケース体の下面部より突出移動するように構成し、あるいは、先端部に筆記具あるいは罫書き具等からなるマーク付け具を有するバーを、ケース体の前面部に揺動自在の状態にして組み込み、バーの操作により、バーの先端部に配置させたマーク付け部が、ケース体の下面部より突出移動するように構成することにより、鉛筆等の筆記具を使用することなく、木材等の所定位置に墨付けを行ない得るようになっているのである。
【発明の効果】
【０００８】
この発明に係る巻尺は、上記のような構成であって、巻尺の下面部を木材等の平面部に配置させた後、バーの指先操作だけでマーキングを付すことができ、効率良く墨付け作業等を行ない得るし、また、片手での作業を可能とするため、高所の不安定な場所でも、安全に墨付け作業を行ない得るという利点があるのである。
【実施例】
【０００９】
図面に基づいて、この発明の実施例を説明すると、巻尺本体１は、図１乃至図に示すとおり、内部にスケール５を巻入れたケース体２の前面部に、先端部に筆記具あるいは罫書き具等からなるマーク付け具４を有するバー６を配置するとともに、ケース体２の前面部に、一方側から他方側に向って斜め状に下降するガイド部３を形成し、バー６をガイド部３に沿ってスライドさせるようにして組み込み、バー６のスライド操作により、マーク付け具４が、ケース体２の下面部７より突出移動するように形成した構成となっているのである。
【００１０】
すなわち、ケース体２は、その内部にスケール５を巻き込むとともに、前面下端部に形成した切り込み部から、スケール５を引き出し得る構成となっており、その前面部に、下記するバー６を装着させ得る深さの凹部８が形成されており、該凹部８の下方部には、ケース体２の一方側から他方側に向って下降傾斜したガイド部３が形成された構成となっており、また、ガイド部３の一方側には、バー６の端部を突出させ得る凹部１１が、凹部８の他方側上部には、突起１０がそれぞれ形成された構成となっているのである。
【００１１】
バー６は、凹部８内に納め得る厚さの板体で構成されており、一方側に操作部１２を形成するとともに、先端部に筆記具あるいは罫書き具等からなるマーク付け具４を取り付けた構成となっており、凹部１１内に納めた場合、バー６の下辺部がガイド部３の上傾斜面に載った状態になってスライド可能となり、また、操作部１２は、ケース体２に形成した凹部１１に納まった状態となるように形成されているのである。
【００１２】
バー６は、その上方側の中程位置にコイルバネ９を取り付けた構成となっており、凹部８内に装着するに際しては、図３に示すように、コイルバネ９の先端部を突起１０に差し入れて係合させた後、コイルバネ９を屈曲させ、バー６の下辺部がガイド部３の傾斜面に載った状態となるようにして行なわれるのである。
【００１３】
蓋体１４は、下方部にスケール５を通過させ得る形の凹部１７が形成されるとともに、向って左側に膨出部１８が形成されており、該膨出部１８の裏面部は、マーク付け具４を移動可能な状態で納め得る形の凹部が形成された構成となっており、ケース体２への取り付けは、中程に形成された孔１６からネジ１５を差し入れた後、その先端部をケース体２の前面に形成した孔１３に螺合させることによって行なわれるのである。
【００１４】
蓋体１４を取り付けることにより、先端にマーク付け具４を取り付けたバー６は、蓋体１４によってカバーされ、蓋体１４の向って右角付近に突出した操作部１２を指先で押した場合、図４、並びに図５に示すように、バー６の先端に取り付けれらたマーク付け具４は、ケース体２の下面部より突出するとともに、向って左方向側に移動することになり、ケース体２の下面部に配置した木材等の表面にマークを付けることになるのである。
【００１５】
上記は、ガイド部３を、ケース体２の前面部に、一方側から他方側に向けて斜め状にして配置した場合の実施例であるが、図６ないし図８に示すように、ケース体２の前面部に、下方に向って屈曲傾斜する切り欠溝１９を形成してガイド部３を作成し、その溝内に、先端にマーク付け具４を取り付けるとともに、上端部に操作具１２を取り付けた弾力性のバー６を納め、操作具１２を指先で押すことにより、マーク付け具４の先端をケース体の下面部から突出させて移動させる構成とすことも可能である。なお、バー６の先端には、コイルバネ９が装着されており、上記の実施例の場合と同様に、前面部には、マーク付け具４とバー６を覆う蓋体が取り付けられるのである。
【００１６】
また、上記は、マーク付け具４を付けたバー６を、ガイド部４に沿ってスライドさせるように構成した場合であるが、図９、並びに図１０に示すように、先端部マーク付け具４を有するバー６を、支点軸２０により、ケース体２の前面部に揺動自在の状態の状態になるようにして組み込み、操作部１２の操作により、バー６の先端部に配置させたマーク付け具４が、ケース体２の下面部７より突出するように形成した構成とすることも可能である。なお、この場合にも、バー６を付勢するコイルバネ９が装着されており、上記の実施例の場合と同様に、前面部には、マーク付け具４とバー６を覆う蓋体が取り付けられるのである。
【００１７】
また、上記は、マーク付け具４を有するバー６を下方斜め方向に向けてスライドさせ、あるいは揺動させるように構成した場合の実施例であるが、図１１ないし図１５に示すように、ケース体２の前面部に、先端部に筆記具あるいは罫書き具等からなるマーク付け具４を有するバー６を横方向、あるいは上下方向に移動可能な状態として保持させるとともに、他方側、あるいは下方側に移動させた場合にあって、マーク付け具４を、ケース体２の下面部７より突出移動させるためガイド２１を形成し、それによってマーキング可能な巻尺とすることが可能である。
【００１８】
図１１、図１２は、ケース体２の前面部に、先端部に筆記具あるいは罫書き具等からなるマーク付け具４を有するとともに、先端上部に斜辺部２２を形成したバー６を横方向へ移動可能な状態にして配置させ、横側方向に移動させた場合、ケース体２に形成したガイド２１に、バー６に形成した斜辺部２２が接触して下方側に案内され、それによって、バー６の先端に取り付けたマーク付け具４がケース体２の下面部７より突出移動するように構成とした場合の実施例である。なお、バー６は、通常の状態にあってコイルバネ９によって、向って右方向側に引き寄せられた状態となっているのである。
また、上記の実施例は、バー６の先端部に斜辺部２２を形成した場合の実施例であるが、図１３に示すとおり、該斜辺部２２に代えて、斜め状に配置したスライド孔２３を形成し、そのガイド孔２３にガイド２１を嵌め入れ、ガイド孔２５の斜辺部に、ガイド２１が接触して、バー６の先端に取り付けたマーク付け具４が、ケース体２の下面部７より突出移動するように形成した構成とすることも可能である。
【００１９】
また、図１４、図１５図は、ケース体２の前面部に、先端部に筆記具あるいは罫書き具等からなるマーク付け具４を有するとともに、先端部に斜辺部２２を形成したバー６を下方方向へ移動可能な状態にして配置させ、下方方向に移動させた場合、ケース体２に形成したガイド２１に、バー６に形成した斜辺部２２が接触して向って右方側に案内され、それによって、バー６の先端に取り付けたマーク付け具４がケース体２の下面部７より突出移動するように構成した場合の実施例である。なお、バー６は、通常の状態にあってコイルバネ９によって、上方側に引き寄せられた状態となっているのである。
また、上記の実施例は、バー６の先端部に斜辺部２２を形成した場合の実施例であるが、図１６に示すとおり、該辺部２２に代えて、斜め状に配置したスライド長孔２３を形成し、その長孔２３の斜め辺部にガイド２１が接触して、バー６の先端に取り付けたマーク付け具４が、ケース体２の下面部７より突出移動するように形成した構成とすることも可能である。
【図面の簡単な説明】
【００２０】
【図１】この発明に係る巻尺の全体を示す斜視図である。
【図２】この発明に係る巻尺の構成を示す分解斜視図である。
【図３】この発明に係る巻尺の構成を示す分解斜視図である。
【図４】この発明に係る巻尺の構成を示す正面図である。
【図５】この発明に係る巻尺の作動状態を示す正面図である。
【図６】この発明に係る巻尺の構成を示す正面図である。
【図７】この発明に係る巻尺の作動状態を示す正面図である。
【図８】ケース体の前面部の構成を示す正面図である。
【図９】この発明に係る巻尺の構成を示す正面図である。
【図１０】この発明に係る巻尺の作動状態を示す正面図である。
【図１１】この発明に係る巻尺の構成を示す正面図である。
【図１２】この発明に係る巻尺の作動状態を示す正面図である。
【図１３】この発明に係る巻尺の構成を示す正面図である。
【図１４】この発明に係る巻尺の構成を示す正面図である。
【図１５】この発明に係る巻尺の作動状態を示す正面図である。
【図１６】この発明に係る巻尺の構成を示す正面図である。
【符号の説明】
【００２１】
１    巻尺本体
２    ケース体
３    ガイド部
４    マーク付け具
５    スケール
６    バー
７    ケース体の下面部
２１    ガイド部
【図１】
2006038610.tif 000003
【図２】
2006038610.tif 000004
【図３】
2006038610.tif 000005
【図４】
2006038610.tif 000006
【図５】
2006038610.tif 000007
【図６】
2006038610.tif 000008
【図７】
2006038610.tif 000009
【図８】
2006038610.tif 000010
【図９】
2006038610.tif 000011
【図１０】
2006038610.tif 000012
【図１１】
2006038610.tif 000013
【図１２】
2006038610.tif 000014
【図１３】
2006038610.tif 000015
【図１４】
2006038610.tif 000016
【図１５】
2006038610.tif 000017
【図１６】
2006038610.tif 000018